(57)【特許請求の範囲】
【請求項１】
時刻情報を含む投稿記事をその投稿者を識別するユーザＩＤと対応付けて記憶し前記投稿記事へのアクセスをその投稿者のユーザＩＤと関係付けられた他のユーザＩＤで制限する投稿管理システム、及び、時刻情報を含む一般記事を記憶し前記一般記事を要求元に関わらず要求に応じて配信する記事配信システムによって提供される前記投稿記事及び前記一般記事の要求を、当該要求を行うユーザのユーザＩＤと共に出力する要求出力手段と、
前記要求出力手段による要求に応じて提供された前記投稿記事及び前記一般記事を、その各時刻情報に従って時系列順に表示し、前記時系列順に並べて表示された前記投稿記事及び前記一般記事のうちのいずれかが選択された場合に、本文表示ウィンドウを表示し、当該選択された記事の詳細を前記本文表示ウィンドウに表示する時系列表示手段と、
長方形に構成された表示画面と、
自装置の姿勢を検出する姿勢検出手段と、
を備え、
前記一般記事は、報道機関から提供された記事であり、
前記時系列表示手段は、
前記表示画面の短辺を底辺とする縦型で自装置が使用されている状態で前記本文表示ウィンドウが表示されているときに、前記表示画面の長辺を底辺とする横型で自装置が使用される状態に変化したことを前記姿勢検出手段が検出した場合、前記底辺となる長辺を下側とする表示状態に前記表示画面を切り替えると共に、前記本文表示ウィンドウに表示する文字のサイズについては、縦型の場合より横型の場合の方を大きくし、前記本文表示ウィンドウ以外の領域に表示する文字のサイズについては、縦型の場合と横型の場合とで文字のサイズを同一とする情報表示装置。
【請求項２】
前記時系列表示手段は、前記投稿記事及び前記一般記事に予め設定された属性の分類のうちのいずれかの分類が選択指定された場合に、選択指定された当該属性の分類が設定された前記投稿記事及び前記一般記事を選別して時系列順に表示する請求項１に記載の情報表示装置。
【請求項３】
前記投稿管理システムに対して投稿する記事の入力を受け付ける記事入力受付手段と、
前記記事入力受付手段によって受け付けられた前記記事を前記投稿管理システムに送信する記事送信手段と、を備え、
前記時系列表示手段は、
前記記事入力受付手段によって受け付けられた前記記事を、当該記事が前記記事送信手段によって前記投稿管理システムに送信され、前記投稿管理システムから前記投稿記事として提供される前に、前記投稿記事及び前記一般記事に追加して時系列順に表示する請求項１または２に記載の情報表示装置。
【請求項４】
ユーザの興味を表すデータを記憶する興味データ記憶手段を備え、
前記時系列表示手段は、前記興味データ記憶手段が記憶しているユーザの興味を表すデータと、前記投稿記事及び前記一般記事に付されている属性とに基づいて、前記時系列表示手段によって表示された前記投稿記事及び前記一般記事において、前記ユーザの興味を表すデータと属性が一致する前記投稿記事及び前記一般記事を選別し、選別した前記投稿記事及び前記一般記事を時系列順に表示する請求項１から３のいずれか１項に記載の情報表示装置。
【請求項５】
前記要求出力手段は、前記投稿管理システムにおける投稿者を識別するユーザＩＤのうち、前記投稿記事の提供を要求する他のユーザのユーザＩＤを併せて出力し、
前記時系列表示手段は、前記要求出力手段による要求に応じて提供された前記他のユーザの前記投稿記事と、前記一般記事とを、その各時刻情報に従って時系列順に表示する請求項１から４のいずれか１項に記載の情報表示装置。
【請求項６】
時刻情報を含む投稿記事をその投稿者を識別するユーザＩＤと対応付けて記憶し前記投稿記事へのアクセスをその投稿者のユーザＩＤと関係付けられた他のユーザＩＤで制限する投稿管理システム、及び、時刻情報を含む一般記事を記憶し前記一般記事を要求元に関わらず要求に応じて配信する記事配信システムによって提供される前記投稿記事及び前記一般記事の要求を、当該要求を行うユーザのユーザＩＤと共に出力する要求出力機能と、
前記要求出力機能による要求に応じて提供された前記投稿記事及び前記一般記事を、その各時刻情報に従って時系列順に表示し、前記時系列順に並べて表示された前記投稿記事及び前記一般記事のうちのいずれかが選択された場合に、本文表示ウィンドウを表示し、当該選択された記事の詳細を前記本文表示ウィンドウに表示する時系列表示機能と、
自装置の姿勢を検出する姿勢検出機能と、
をコンピュータに実現させ、
前記一般記事は、報道機関から提供された記事であり、
前記時系列表示機能は、
長方形に構成された表示画面の短辺を底辺とする縦型で自装置が使用されている状態で前記本文表示ウィンドウが表示されているときに、前記表示画面の長辺を底辺とする横型で自装置が使用される状態に変化したことを前記姿勢検出機能が検出した場合、前記底辺となる長辺を下側とする表示状態に前記表示画面を切り替えると共に、前記本文表示ウィンドウに表示する文字のサイズについては、縦型の場合より横型の場合の方を大きくし、前記本文表示ウィンドウ以外の領域に表示する文字のサイズについては、縦型の場合と横型の場合とで文字のサイズを同一とするプログラム。
【請求項７】
コンピュータが、時刻情報を含む投稿記事をその投稿者を識別するユーザＩＤと対応付けて記憶し前記投稿記事へのアクセスをその投稿者のユーザＩＤと関係付けられた他のユーザＩＤで制限する投稿管理システム、及び、時刻情報を含む一般記事を記憶し前記一般記事を要求元に関わらず要求に応じて配信する記事配信システムによって提供される前記投稿記事及び前記一般記事の要求を、当該要求を行うユーザのユーザＩＤと共に出力する要求出力ステップと、
コンピュータが、前記要求出力ステップにおける要求に応じて提供された前記投稿記事及び前記一般記事を、その各時刻情報に従って時系列順に表示し、前記時系列順に並べて表示された前記投稿記事及び前記一般記事のうちのいずれかが選択された場合に、本文表示ウィンドウを表示し、当該選択された記事の詳細を前記本文表示ウィンドウに表示する時系列表示ステップと、
自装置の姿勢を検出する姿勢検出ステップと、
を実行し、
前記一般記事は、報道機関から提供された記事であり、
前記時系列表示ステップは、
長方形に構成された表示画面の短辺を底辺とする縦型で自装置が使用されている状態で前記本文表示ウィンドウが表示されているときに、前記表示画面の長辺を底辺とする横型で自装置が使用される状態に変化したことを前記姿勢検出ステップにおいて検出した場合、前記底辺となる長辺を下側とする表示状態に前記表示画面を切り替えると共に、前記本文表示ウィンドウに表示する文字のサイズについては、縦型の場合より横型の場合の方を大きくし、前記本文表示ウィンドウ以外の領域に表示する文字のサイズについては、縦型の場合と横型の場合とで文字のサイズを同一とする情報表示方法。
【請求項８】
互いに通信可能な端末装置とサーバとを備え、ネットワークを介して提供され、時刻情報を含む記事を表示する情報表示システムであって、
前記端末装置は、
時刻情報を含む投稿記事をその投稿者を識別するユーザＩＤと対応付けて記憶し前記投稿記事へのアクセスをその投稿者のユーザＩＤと関係付けられた他のユーザＩＤで制限する投稿管理システム、及び、時刻情報を含む一般記事を記憶し前記一般記事を要求元に関わらず要求に応じて配信する記事配信システムによって提供される前記投稿記事及び前記一般記事の要求を、当該要求を行うユーザのユーザＩＤと共に出力する要求出力手段と、
前記要求出力手段による要求に応じて提供された前記投稿記事及び前記一般記事を、その各時刻情報に従って時系列順に表示し、前記時系列順に並べて表示された前記投稿記事及び前記一般記事のうちのいずれかが選択された場合に、本文表示ウィンドウを表示し、当該選択された記事の詳細を前記本文表示ウィンドウに表示する時系列表示手段と、
長方形に構成された表示画面と、
自装置の姿勢を検出する姿勢検出手段と、
を備え、
前記サーバは、
前記端末装置から、前記投稿管理システム、及び、前記記事配信システムによって提供される前記投稿記事及び前記一般記事の要求が、当該要求を行うユーザのユーザＩＤと共に出力された場合に、当該要求に応じて、前記投稿管理システム及び前記記事配信システムから前記投稿記事及び前記一般記事を取得する記事取得手段と、
前記記事取得手段によって取得された前記投稿管理システムからの前記投稿記事及び前記記事配信システムからの前記一般記事を併せて、前記時刻情報に応じた時系列順の配列に統合する記事統合手段と、
前記記事統合手段によって統合された前記投稿記事及び前記一般記事を前記端末装置に送信する統合記事送信手段と、
を備え、
前記一般記事は、報道機関から提供された記事であり、
前記時系列表示手段は、
前記表示画面の短辺を底辺とする縦型で自装置が使用されている状態で前記本文表示ウィンドウが表示されているときに、前記表示画面の長辺を底辺とする横型で自装置が使用される状態に変化したことを前記姿勢検出手段が検出した場合、前記底辺となる長辺を下側とする表示状態に前記表示画面を切り替えると共に、前記本文表示ウィンドウに表示する文字のサイズについては、縦型の場合より横型の場合の方を大きくし、前記本文表示ウィンドウ以外の領域に表示する文字のサイズについては、縦型の場合と横型の場合とで文字のサイズを同一とする情報表示システム。
【発明の詳細な説明】
【技術分野】
【０００１】
本発明は、情報を統合して表示する情報表示装置、サーバ、プログラム、情報表示方法及び情報表示システムに関する。
【背景技術】
【０００２】
近年、インターネット等のネットワークを介して提供される情報は多様かつ膨大となっており、ユーザにおいては、これらの情報のうち、確度の高いものを迅速かつ効率的に選別して参照する必要が高まっている。
例えば、ソーシャルメディア（媒体）においては、ユーザが予め登録した所望の情報源からの記事をそのユーザに提供するため、ユーザが閲覧記事の情報源を予め選択できる点で有用であるが、ユーザ所望の情報ばかりが提供されるので提供情報の内容に偏りが生じてしまうという懸念があった。一方、マスメディア（媒体）は、記事に高い公共性が求められるため、記事に信頼性が担保されているが、内容は横並びになってしまい別の偏りが生じてしまう場合があるという懸念があった。
ここで、ネットワークを介して提供される情報をユーザが効率的に把握可能な形態で表示するための技術として、特許文献１に記載の技術が知られている。
特許文献１に記載の技術では、投稿された記事等の情報を複数のＷｅｂサイトから取得し、これらを統合して表示している。
これにより、ユーザは、異なるＷｅｂサイトで公開されている情報を個別に閲覧することなく、統合された形態で閲覧できるため、種々の公開情報を効率的に把握することが可能となる。
【先行技術文献】
【特許文献】
【０００３】
【特許文献１】特開２００２−００７４０４号公報
【発明の概要】
【発明が解決しようとする課題】
【０００４】
しかしながら、特許文献１に記載された技術を含め、従来の技術においては、特定の種類の情報源から取得した情報を単に一画面に統合して表示するものであるため、ユーザが情報の確度を判断する上では十分な裏づけとなり難いものであった。
即ち、従来の技術においては、ネットワークを介して提供される情報の確度を高めることが困難であった。
【０００５】
本発明は、ネットワークを介して提供される情報の確度をより高めるための情報表示手法を提供することを目的とする。
【課題を解決するための手段】
【０００６】
（１）  時刻情報を含む投稿記事をその投稿者を識別するユーザＩＤと対応付けて記憶し前記投稿記事へのアクセスをその投稿者のユーザＩＤと関係付けられた他のユーザＩＤで制限する投稿管理システム、及び、時刻情報を含む一般記事を記憶し前記一般記事を要求元に関わらず要求に応じて配信する記事配信システムによって提供される前記投稿記事及び前記一般記事の要求を、当該要求を行うユーザのユーザＩＤと共に出力する要求出力手段と、
前記要求出力手段による要求に応じて提供された前記投稿記事及び前記一般記事を、その各時刻情報に従って時系列順に表示する時系列表示手段と、
を備えた情報表示装置。
【０００７】
（２）  前記時系列表示手段は、前記投稿記事及び前記一般記事に予め設定された属性の分類のうちのいずれかの分類が選択指定された場合に、選択指定された当該属性の分類が設定された前記投稿記事及び前記一般記事を選別して時系列順に表示する（１）に記載の情報表示装置。
（３）  前記時系列表示手段は、前記時系列順に並べて表示された前記投稿記事及び前記一般記事のうちのいずれかが選択された場合に、本文表示ウィンドウを表示し、当該選択された記事の詳細を前記本文表示ウィンドウに表示する（１）または（２）に記載の情報表示装置。
【０００８】
（４）  長方形に構成された表示画面と、
自装置の姿勢を検出する姿勢検出手段と、を備え、
前記時系列表示手段は、
前記表示画面の短辺を底辺とする縦型で自装置が使用されている状態で前記本文表示ウィンドウが表示されているときに、前記表示画面の長辺を底辺とする横型で自装置が使用される状態に変化したことを前記姿勢検出手段が検出した場合、前記底辺となる長辺を下側とする表示状態に前記表示画面を切り替えると共に、縦型の場合より横型の場合の方が前記本文表示ウィンドウに表示する文字のサイズを大きくする（３）に記載の情報表示装置。
【０００９】
（５）  前記投稿管理システムに対して投稿する記事の入力を受け付ける記事入力受付手段と、
前記記事入力受付手段によって受け付けられた前記記事を前記投稿管理システムに送信する記事送信手段と、を備え、
前記時系列表示手段は、
前記記事入力受付手段によって受け付けられた前記記事を、当該記事が前記記事送信手段によって前記投稿管理システムに送信され、前記投稿管理システムから前記投稿記事として提供される前に、前記投稿記事及び前記一般記事に追加して時系列順に表示する（１）から（４）のいずれかに記載の情報表示装置。
（６）  ユーザの興味を表すデータを記憶する興味データ記憶手段を備え、
前記時系列表示手段は、前記興味データ記憶手段が記憶しているユーザの興味を表すデータと、前記投稿記事及び前記一般記事に付されている属性とに基づいて、前記時系列表示手段によって表示された前記投稿記事及び前記一般記事において、前記ユーザの興味を表すデータと属性が一致する前記投稿記事及び前記一般記事を選別し、選別した前記投稿記事及び前記一般記事を時系列順に表示する（１）から（５）のいずれかに記載の情報表示装置。
【００１０】
（７）  前記要求出力手段は、前記投稿管理システムにおける投稿者を識別するユーザＩＤのうち、前記投稿記事の提供を要求する他のユーザのユーザＩＤを併せて出力し、
前記時系列表示手段は、前記要求出力手段による要求に応じて提供された前記他のユーザの前記投稿記事と、前記一般記事とを、その各時刻情報に従って時系列順に表示する（１）から（６）のいずれかに記載の情報表示装置。
【００１１】
（８）  互いに通信可能な端末装置とサーバとを備え、ネットワークを介して提供され、時刻情報を含む記事を表示する情報表示システムにおけるサーバであって、
前記端末装置から、時刻情報を含む投稿記事をその投稿者を識別するユーザＩＤと対応付けて記憶し前記投稿記事へのアクセスをその投稿者のユーザＩＤと関係付けられた他のユーザＩＤで制限する投稿管理システム、及び、時刻情報を含む一般記事を記憶し前記一般記事を要求元に関わらず要求に応じて配信する記事配信システムによって提供される前記投稿記事及び前記一般記事の要求が、当該要求を行うユーザのユーザＩＤと共に出力された場合に、当該要求に応じて、前記投稿管理システム及び前記記事配信システムから前記投稿記事及び前記一般記事を取得する記事取得手段と、
前記記事取得手段によって取得された前記投稿管理システムからの前記投稿記事及び前記記事配信システムからの前記一般記事を併せて、前記時刻情報に応じた時系列順の配列に統合する記事統合手段と、
前記記事統合手段によって統合された前記投稿記事及び前記一般記事を前記端末装置に送信する統合記事送信手段と、
を備えるサーバ。
【００１２】
（９）  時刻情報を含む投稿記事をその投稿者を識別するユーザＩＤと対応付けて記憶し前記投稿記事へのアクセスをその投稿者のユーザＩＤと関係付けられた他のユーザＩＤで制限する投稿管理システム、及び、時刻情報を含む一般記事を記憶し前記一般記事を要求元に関わらず要求に応じて配信する記事配信システムによって提供される前記投稿記事及び前記一般記事の要求を、当該要求を行うユーザのユーザＩＤと共に出力する要求出力機能と、
前記要求出力機能による要求に応じて提供された前記投稿記事及び前記一般記事を、その各時刻情報に従って時系列順に表示する時系列表示機能と、
をコンピュータに実現させるプログラム。
【００１３】
（１０）  コンピュータが、時刻情報を含む投稿記事をその投稿者を識別するユーザＩＤと対応付けて記憶し前記投稿記事へのアクセスをその投稿者のユーザＩＤと関係付けられた他のユーザＩＤで制限する投稿管理システム、及び、時刻情報を含む一般記事を記憶し前記一般記事を要求元に関わらず要求に応じて配信する記事配信システムによって提供される前記投稿記事及び前記一般記事の要求を、当該要求を行うユーザのユーザＩＤと共に出力する要求出力ステップと、
コンピュータが、前記要求出力ステップにおける要求に応じて提供された前記投稿記事及び前記一般記事を、その各時刻情報に従って時系列順に表示する時系列表示ステップと、
を含む情報表示方法。
【００１４】
（１１）  互いに通信可能な端末装置とサーバとを備え、ネットワークを介して提供され、時刻情報を含む記事を表示する情報表示システムであって、
前記端末装置は、
時刻情報を含む投稿記事をその投稿者を識別するユーザＩＤと対応付けて記憶し前記投稿記事へのアクセスをその投稿者のユーザＩＤと関係付けられた他のユーザＩＤで制限する投稿管理システム、及び、時刻情報を含む一般記事を記憶し前記一般記事を要求元に関わらず要求に応じて配信する記事配信システムによって提供される前記投稿記事及び前記一般記事の要求を、当該要求を行うユーザのユーザＩＤと共に出力する要求出力手段と、
前記要求出力手段による要求に応じて提供された前記投稿記事及び前記一般記事を、その各時刻情報に従って時系列順に表示する時系列表示手段と、を備え、
前記サーバは、
前記端末装置から、前記投稿管理システム、及び、前記記事配信システムによって提供される前記投稿記事及び前記一般記事の要求が、当該要求を行うユーザのユーザＩＤと共に出力された場合に、当該要求に応じて、前記投稿管理システム及び前記記事配信システムから前記投稿記事及び前記一般記事を取得する記事取得手段と、
前記記事取得手段によって取得された前記投稿管理システムからの前記投稿記事及び前記記事配信システムからの前記一般記事を併せて、前記時刻情報に応じた時系列順の配列に統合する記事統合手段と、
前記記事統合手段によって統合された前記投稿記事及び前記一般記事を前記端末装置に送信する統合記事送信手段と、を備える情報表示システム。
【発明の効果】
【００１５】
本発明によれば、ネットワークを介して提供される様々な情報を表示する技術として、情報の確度をより高める情報表示技術を提供することが可能となる。
【図面の簡単な説明】
【００１６】
【図１】情報表示システム１を説明するための全体構成を示す図である。
【図２】ユーザ端末２の機能構成を示す機能ブロック図である。
【図３】表示画面制御部２５によって形成される表示画面例を示す図である。
【図４】表示画面が縦型の場合と横型の場合とにおける表示状態の変化を示す図である。
【図５】情報収集サーバ３の機能構成を示す機能ブロック図である。
【図６】ユーザ端末２が実行する統合記事集合表示処理の流れを示すフローチャートである。
【図７】情報収集サーバ３が実行する情報収集・統合処理の流れを示すフローチャートである。
【発明を実施するための形態】
【００１７】
以下、本発明の実施形態について、図を参照しながら説明する。
［第１実施形態］
［全体構成］
図１は、本実施形態に係る情報表示システム１を説明するための全体構成を示す図である。
情報表示システム１は、ユーザ端末２と、情報収集サーバ３とを含んでおり、情報収集サーバ３は、ユーザ端末２、記事配信システム１００及び投稿管理システム２００とネットワークを介して通信可能に構成されている。
【００１８】
情報表示システム１では、ユーザ端末２が閲覧情報の取得要求を送信した場合に、情報を収集する情報収集サーバ３が、要求に応じて制限なしに一般記事（例えばマスメディアが公表するニュース記事）を提供する記事配信システム１００及びユーザアカウント（ユーザＩＤ及びパスワード）による管理に従って投稿記事（例えばコミュニティにおいて特定のユーザ間で共有されるＳＮＳ（Ｓｏｃｉａｌ  Ｎｅｔｗｏｒｋｉｎｇ  Ｓｉｔｅ）の投稿記事）を提供する投稿管理システム２００にアクセスする。そして、情報収集サーバ３は、記事配信システム１００及び投稿管理システム２００から提供される時刻情報（例えばタイムスタンプや本文に記載された配信日時等）を有する記事を収集する。そして、情報収集サーバ３が、収集した記事を時刻情報が示す時系列順に並べ替えて一群の記事の集合として統合し、統合した記事の集合（以下、「統合記事集合」と称する。）をユーザ端末２に送信する。ユーザ端末２は、情報収集サーバ３から受信した統合記事集合をブラウザのウィンドウ（以下、「時系列表示ウィンドウ」と称する。）に表示する。このとき、ユーザ端末２では、時系列表示ウィンドウ内に、情報の属性の分類を示すタブを表示し、ユーザによってタブが選択されると、統合記事集合の中から、そのタブに応じた属性を有する情報のみを選別し、選別された情報を時系列表示ウィンドウに表示する。また、時系列表示ウィンドウにおいては、統合記事集合を構成する本文内容を簡潔に表した見出しあるいはコメント文等の記事が一覧表示されており、ユーザがいずれかの記事を選択すると、詳細情報表示ウィンドウ（後述）が出現し、その記事に対応する本文が時系列表示ウィンドウに隣接する詳細情報表示ウィンドウに表示される。
【００１９】
このような機能により、ユーザは、自らが入手可能なＷｅｂサイト上の各種情報を統合して時系列順に並べてブラウザに表示することができるため、ニュース記事等の一般記事やＳＮＳの投稿記事に個別にアクセスする必要がなくなり、効率的に時系列を有する情報を把握することが可能となる。また、報道機関等によって公開された情報と、ＳＮＳ等において各個人ユーザのリアルタイムな経験を基に共有された情報とが同一タイムライン上に表示されるため、情報源の種類が異なる情報を併せてユーザに提示できる。
したがって、本発明に係る情報表示システム１によれば、ユーザは、異なる主体及び管理アルゴリズム等の基に提供される多様な情報を互いに裏づけとして参照しつつ、情報の確度を判断することができるため、ネットワークを介して提供される情報の確度をより高めることが可能となる。
なお、図１において、情報収集サーバ３は、それぞれ１つの記事配信システム１００及び投稿管理システム２００から情報を収集する場合を例として示しているが、複数の記事配信システム１００及び投稿管理システム２００から情報を収集する構成とすることが可能である。
【００２０】
［ユーザ端末２の構成］
図１において、ユーザ端末２は、ブラウザ機能を有するタブレットＰＣ（Ｐｅｒｓｏｎａｌ  Ｃｏｍｐｕｔｅｒ）等の情報処理端末によって構成され、不図示のネットワークを介して、情報収集サーバ３と通信可能に構成されている。
図２は、ユーザ端末２の機能構成を示す機能ブロック図である。
図２において、ユーザ端末２は、ユーザ入力受付部２１と、情報取得要求部２２と、取得情報記憶部２３と、画面方向判定部２４と、表示画面制御部２５とを備えている。
【００２１】
ユーザ入力受付部２１は、ブラウザの起動指示、統合記事集合のソート指示あるいは統合記事集合における記事の選択等、ユーザによる各種指示入力を受け付ける。また、ユーザ入力受付部２１は、投稿管理システム２００のユーザＩＤ及びパスワードの入力を受け付ける。なお、本実施形態におけるユーザ端末２は、タッチパネル式の入出力インターフェースを備えており、ユーザが表示画面にタッチ入力することで、各種指示入力を行うことができる。
【００２２】
情報取得要求部２２は、ユーザ入力受付部２１にブラウザの起動指示が入力された場合に、情報収集サーバ３に対して、記事配信システム１００及び投稿管理システム２００から情報を取得するための要求（以下、「閲覧情報取得要求」と称する。）を送信する。このとき、情報取得要求部２２は、閲覧情報取得要求に記事配信システム１００のＵＲＬ（Ｕｎｉｆｏｒｍ  Ｒｅｓｏｕｒｃｅ  Ｌｏｃａｔｏｒ）と、投稿管理システム２００のＵＲＬ、ユーザＩＤ及びパスワードとを含めて情報収集サーバ３に送信する。そして、情報取得要求部２２は、情報収集サーバ３から送信された統合記事集合を受信する。
ここで、統合記事集合に投稿記事を含めることを希望する情報源としてユーザ端末２のユーザが指定した他のユーザのユーザＩＤを送信することとしても良い。
このように、統合記事集合に投稿記事を含める他のユーザを指定した場合、投稿管理システム２００によって管理されている投稿記事のうち、ユーザ端末２のユーザにとって信頼性の高い情報源のみを選別して表示することができるため、提供される情報の確度をさらに高めることが可能となる。
【００２３】
取得情報記憶部２３は、閲覧情報取得要求に対応して収集された統合記事集合を情報収集サーバ３から受信した場合に、受信した統合記事集合を記憶する。
画面方向判定部２４は、加速度センサあるいはジャイロセンサ等、ユーザ端末２の姿勢を検出する姿勢検出ユニットからの検出信号を基に、ユーザ端末２が縦型（即ち底辺が短辺）の表示画面として使用されているか、あるいは、横型（即ち底辺が長辺）の表示画面として使用されているか、即ち、表示画面の上下方向を判定する。そして、画面方向判定部２４は、現在のユーザ端末２の表示画面の方向を表示画面制御部２５に通知する。
【００２４】
表示画面制御部２５は、ブラウザの初期表示ページとして設定されているＷｅｂページの情報と、取得情報記憶部２３に記憶された統合記事集合とを用いて、ブラウザの表示領域における表示枠の構成と、各表示枠内に表示する情報とを決定し、表示画面を形成する。また、ユーザ端末２は長方形の表示画面を有しており、表示画面制御部２５は、画面方向判定部２４から通知される表示画面の方向に応じて、表示枠の構成を変化させる。さらに、表示画面制御部２５は、時系列表示ウィンドウに隣接して表示される詳細情報表示ウィンドウ内の文字のサイズを、縦型の表示画面の場合よりも横型の表示画面の場合でより大きくする。
【００２５】
また、表示画面制御部２５は、時系列表示ウィンドウ内に情報の属性の分類（例えば、
「すべて」、「経済」、「エンタメ」（エンターテインメント）、「スポーツ」、「テクノロジー」等）を表すタブを表示し、ユーザによっていずれかの分類を表すタブが選択入力されると、統合記事集合の中で、その分類に属する記事を選別して時系列に表示する。このようなタブとして、「マスメディアによって提供された記事」の分類、「ＳＮＳにおいて提供された記事」の分類等に対応するタブを設定することもできる。そして、マスメディアによって提供された記事には属性が付されているため、マスメディアによって提供された記事のみが表示されている場合に、各属性の分類に対応するタブを表示し、いずれかのタブが選択入力されることに対応して、その分類に属する記事を選別して時系列に表示することとしても良い。
さらに、表示画面制御部２５は、時系列表示ウィンドウがタッチされる毎に、情報収集サーバ３に閲覧情報取得要求を送信し、表示内容を最新の状態に更新する。なお、表示画面制御部２５は、ユーザによってブラウザの終了が指示入力されると表示内容をリセットし、ユーザ端末２は、新たなブラウザの起動を待機する状態となる。
【００２６】
図３は、表示画面制御部２５によって形成される表示画面例を示す図であり、図３（ａ）は詳細情報表示ウィンドウが未表示の状態を示す図、図３（ｂ）は詳細情報表示ウィンドウが表示された状態を示す図である。なお、図３に示す表示画面例は、ポータルサイトのトップページの一部として表示したり、単独のウィンドウで表示したりすることが可能である。
図３において、表示画面制御部２５によって形成される表示画面には、時系列表示ウィンドウ２５ａと、話題表示領域２５ｂと、詳細情報表示ウィンドウ２５ｃとが含まれている。
【００２７】
時系列表示ウィンドウ２５ａは、取得情報記憶部２３に記憶された統合記事集合に含まれる各記事を時系列順に一覧表示する領域である。図３における時系列表示ウィンドウ２５ａでは、例えば、第１行及び第３行の一般記事に対応し、第２行及び第４行の投稿記事に対応している。なお、一般記事であるか投稿記事であるかを示す属性は、各記事のデータに付加されており、この属性を表示したり、これらの属性で記事を分類するためのタグを表示したりしても良い。
話題表示領域２５ｂは、天気予報や、その日のピックアップされた話題等の各種情報を表示する領域であり、話題表示領域２５ｂに表示される情報は適宜変更される。
【００２８】
詳細情報表示ウィンドウ２５ｃは、時系列表示ウィンドウ２５ａにおいて、いずれかの記事がタッチ入力等によって選択された場合に、選択された記事に対応する詳細な本文を表示する領域である。具体的には、詳細情報表示ウィンドウ２５ｃは、図３（ｂ）に示すように、記事が選択されることに対応して表れ、話題表示領域２５ｂに重畳して表示される。また、詳細情報表示ウィンドウ２５ｃは、選択された記事の欄と詳細情報表示ウィンドウ２５ｃとが関連性を有することを識別する表示形態（ここでは記事の右端に位置する矢印が表示される状態）となる。
【００２９】
また、詳細情報表示ウィンドウ２５ｃ内に表示される文字は、ユーザ端末２が縦型の表示画面として使用されている場合よりも、横型の表示画面として使用されている場合に、より大きいサイズで表示される。
図４は、表示画面が縦型の場合と横型の場合とにおける表示状態の変化を示す図であり、図４（ａ）は縦型の表示画面として使用されている状態、図４（ｂ）は横型の表示画面として使用されている状態を示す図である。
図４（ａ）に示すように、ユーザ端末２が縦型の表示画面として使用され、詳細情報表示ウィンドウ２５ｃが表示されている場合に、ユーザがユーザ端末２を横型の表示画面とする向きに変化させると、図４（ｂ）に示すように、アクティブなウィンドウである詳細情報表示ウィンドウ２５ｃを含む部分が表示画面の横幅の変化に合わせて拡大される。そして、詳細情報表示ウィンドウ２５ｃ内に表示される記事本文は、より大きい文字サイズで表示される。
このように、表示画面を横型とする場合、ユーザが注目箇所を拡大して表示させる意図を有していると推定できることから、詳細情報表示ウィンドウ２５ｃ内の文字サイズを拡大することで、ユーザの意図に即した表示を行うことができる。
なお、表示画面を横型とした場合に、詳細情報表示ウィンドウ２５ｃ以外の表示領域については、表示画面を縦型としたときと同一文字サイズとし、詳細情報表示ウィンドウ２５ｃ内の文字サイズのみを拡大することとしても良い。この場合においても、ユーザが注目している本文の文字サイズを拡大できるため、ユーザの意図に即した表示とすることができる。
【００３０】
［情報収集サーバ３の構成］
図５は、情報収集サーバ３の機能構成を示す機能ブロック図である。
図５において、情報収集サーバ３は、情報取得要求受付部３１と、記事取得部３２と、収集記事記憶部３３と、記事統合部３４と、統合記事集合送信部３５とを備えている。
情報取得要求受付部３１は、ユーザ端末２から閲覧情報取得要求を受信し、記事取得部３２に対して記事配信システム１００及び投稿管理システム２００からの記事の取得を指示する。
【００３１】
記事取得部３２は、情報取得要求受付部３１から記事の取得が指示されると、閲覧情報取得要求に含まれている記事配信システム１００のＵＲＬ、投稿管理システム２００のＵＲＬ、ユーザ端末２を使用するユーザのユーザＩＤ及びパスワードを抽出する。そして、記事取得部３２は、記事配信システム１００のＵＲＬを基に、記事配信システム１００にアクセスし、配信されている一般記事を取得する。また、記事取得部３２は、投稿管理システム２００のＵＲＬを基に、投稿管理システム２００にアクセスし、ユーザＩＤ及びパスワードを用いて投稿管理システム２００にログインする。そして、他のユーザと共有されている投稿記事を取得する。
収集記事記憶部３３は、記事取得部３２によって取得された一般記事及び投稿記事を閲覧情報取得要求に対応する記事の集合として記憶する。
【００３２】
記事統合部３４は、収集記事記憶部３３に記憶されている記事の集合を、一般記事及び投稿記事の区別なく時系列順に並び替えて、統合記事集合を生成する。即ち、統合記事集合では、一般記事及び投稿記事が有する時刻情報の時系列によってソートされた順番で、一般記事及び投稿記事が配列されている。このとき、記事統合部３４は、タイムスタンプ、記事の本文に含まれる日時情報（ニュース記事に記載されている配信日時等）といった各種時刻情報によって一般記事及び投稿記事をソートすることが可能である。なお、本実施形態では、一般記事及び投稿記事に含まれるタイムスタンプ（ニュース記事の場合は入稿日時、投稿記事の場合は投稿日時）を用いてソートが行われるものとする。
統合記事集合送信部３５は、記事統合部３４によって生成された統合記事集合を、閲覧情報取得要求を送信したユーザ端末２に送信する。
【００３３】
記事配信システム１００は、一般記事としてのニュース記事を提供する報道機関、あるいは、一般記事としての公報情報を提供する公的機関等から入稿される一般記事を蓄積する一般記事サーバ１０１を有している。そして、記事配信システム１００は、一般記事サーバ１０１にアクセスされた場合、アクセスに制限を加えることなく一般記事を提供する。即ち、記事配信システム１００は、いずれのユーザに対しても制限を加えることなく、一般記事を全てのユーザに対して一律に提供している。換言すると、一般記事を取得することは、記事配信システム１００が提供するＷｅｂページをフォローしていることに相当する。なお、一般記事としては、報道機関やテレビ局等のマスメディアから発表される情報、公的機関から発表される情報、ネットワーク上で公開され、閲覧の制限が行われていない情報を例として挙げることができる。
【００３４】
投稿管理システム２００は、ＳＮＳの投稿記事、ネットワークコミュニティ内の投稿記事を蓄積する投稿記事サーバ２０１を有している。そして、投稿管理システム２００は、投稿記事サーバ２０１にアクセスされた場合、投稿記事にアクセスする権限を有するユーザにのみ情報を提供する。即ち、投稿管理システム２００は、ユーザアカウントを基に、ユーザのアクセス権限に応じて制限を加えて、投稿記事をそれぞれのユーザに提供している。換言すると、投稿記事を取得することは、投稿管理システム２００が管理するユーザアカウントをフォローしていることに相当する。なお、投稿記事としては、ｍｉｘｉ（商標）、Ｆａｃｅｂｏｏｋ（商標）、ＧＲＥＥ（商標）、各種ブログ、ｔｗｉｔｔｅｒ（商標）等の投稿記事、ｙｏｕｔｕｂｅ、各種掲示板の投稿情報等を例として挙げることができる。なお、投稿管理システム２００において提供される情報には、共有者が「全てのユーザ」となっている投稿記事が含まれ、この場合、ログインしたユーザの全て（あるいはログインしていないユーザも含めて全てのユーザ）を対象として、情報が共有される。
【００３５】
［情報表示システム１の構成］
以上説明した情報表示システム１を構成するユーザ端末２のハードウェアは、１または複数の一般的なコンピュータによって構成することができる。一般的なコンピュータは、例えば、情報取得要求部２２、画面方向判定部２４及び表示画面制御部２５として、中央処理装置（ＣＰＵ）を備える他、取得情報記憶部２３として、メモリ（ＲＡＭ、ＲＯＭ）、ハードディスク（ＨＤＤ）及び光ディスク（ＣＤ、ＤＶＤなど）を、ネットワーク通信装置として、各種有線及び無線ＬＡＮ装置を、表示装置として、例えば、液晶ディスプレイ、プラズマディスプレイなどの各種ディスプレイを、ユーザ入力受付部２１として、例えば、タッチパネルあるいはキーボード及びポインティング・デバイス（マウス、トラッキングボールなど）を適宜備え、これらは、バスラインにより接続されている。このような一般的なコンピュータにおいて、ＣＰＵは、ユーザ端末２を統括的に制御し、統合記事集合表示処理のためのプログラム等、各種プログラムを適宜読み出して実行することにより、上述したハードウェアと協働し、本発明に係る各種機能を実現している。
【００３６】
また、以上説明した情報表示システム１を構成する情報収集サーバ３のハードウェアは、１または複数の一般的なコンピュータによって構成することができる。一般的なコンピュータは、例えば、情報取得要求受付部３１、記事取得部３２及び記事統合部３４として、中央処理装置（ＣＰＵ）を備える他、収集記事記憶部３３として、メモリ（ＲＡＭ、ＲＯＭ）、ハードディスク（ＨＤＤ）及び光ディスク（ＣＤ、ＤＶＤなど）を、統合記事集合送信部３５として、各種有線及び無線ＬＡＮ装置を、表示装置として、例えば、液晶ディスプレイ、プラズマディスプレイなどの各種ディスプレイを、入力装置として、例えば、キーボード及びポインティング・デバイス（マウス、トラッキングボールなど）を適宜備え、これらは、バスラインにより接続されている。このような一般的なコンピュータにおいて、ＣＰＵは、情報収集サーバ３を統括的に制御し、情報収集・統合処理のためのプログラム等、各種プログラムを適宜読み出して実行することにより、上述したハードウェアと協働し、本発明に係る各種機能を実現している。
【００３７】
［動作］
次に、図６，７を参照して、情報表示システム１の動作を説明する。
［ユーザ端末２の動作］
図６は、ユーザ端末２が実行する統合記事集合表示処理の流れを示すフローチャートである。なお、図６に示す統合記事集合表示処理を実行する機能は、ブラウザに組み込まれた状態で提供することや、ソフトウェアをダウンロードして追加するアドオン機能として提供すること等が可能である。
統合記事集合表示処理は、ユーザ端末２の電源投入と共に実行される。
統合記事集合表示処理が開始されると、ユーザ入力受付部２１は、ユーザによるブラウザの起動指示が入力されたか否かの判定を行う（ステップＳ１）。
ユーザによるブラウザの起動指示が入力されていない場合、ステップＳ１においてＮＯと判定されて、ステップＳ１の処理が繰り返される。
これに対し、ユーザによるブラウザの起動指示が入力された場合、ステップＳ１においてＹＥＳと判定されて、処理はステップＳ２に進む。
【００３８】
次に、ユーザ入力受付部２１は、記事配信システム１００のＵＲＬと、投稿管理システム２００のＵＲＬと、ユーザ端末２を使用するユーザに関するユーザＩＤ及びパスワードの入力を受け付ける（ステップＳ２）。
このとき、ユーザ端末２のユーザが統合記事情報に投稿記事を含めることを希望する情報源としての他のユーザのユーザＩＤを併せて入力し、特定のユーザによる投稿記事を取得の対象とすることも可能である。
続いて、情報取得要求部２２は、ステップＳ２において入力を受け付けた各情報を含む閲覧情報取得要求を情報収集サーバ３に送信する（ステップＳ３）。
さらに、情報取得要求部２２は、情報収集サーバ３から送信された統合記事集合を受信する（ステップＳ４）。
そして、取得情報記憶部２３は、統合記事集合を記憶する（ステップＳ５）。
次に、画面方向判定部２４は、姿勢検出ユニットからの検出信号を基に、ユーザ端末２の表示画面の方向を判定する（ステップＳ６）。
【００３９】
次に、表示画面制御部２５は、ユーザ端末２の表示画面の方向に応じて表示画面の表示枠の構成及び表示枠内に表示する情報を決定し、表示画面（図３参照）を形成する（ステップＳ７）。
続いて、表示画面制御部２５は、ユーザによって時系列表示ウィンドウ２５ａ内のいずれかの記事が選択入力されたか否かの判定を行う（ステップＳ８）。
ユーザによって時系列表示ウィンドウ２５ａ内のいずれかの記事が選択入力された場合、ステップＳ８においてＹＥＳと判定されて、処理はステップＳ９に進む。
これに対し、ユーザによって時系列表示ウィンドウ２５ａ内のいずれかの記事が選択入力されていない場合、ステップＳ８においてＮＯと判定されて、処理はステップＳ１０に進む。
即ち、表示画面制御部２５は、ステップＳ８において記事が選択されると、詳細情報表示ウィンドウ２５ｃを出現させ、選択された記事に対応する詳細な本文を詳細情報表示ウィンドウ２５ｃ内に表示する（ステップＳ９）。
ステップＳ９の後、処理はステップＳ６に進む。
【００４０】
一方、表示画面制御部２５は、時系列表示ウィンドウ２５ａ内のいずれかのタブが選択入力されたか否かの判定を行う（ステップＳ１０）。
時系列表示ウィンドウ２５ａ内のいずれかのタブが選択入力された場合、ステップＳ１０においてＹＥＳと判定されて、処理はステップＳ１１に進む。
これに対し、時系列表示ウィンドウ２５ａ内のいずれのタブも選択入力されていない場合、ステップＳ１０においてＮＯと判定されて、処理はステップＳ１２に進む。
即ち、表示画面制御部２５は、統合記事集合の中で、選択入力されたタブの分類に属する記事を選別して、時系列表示ウィンドウ２５ａ内に時系列に表示する（ステップＳ１１）。
このようなステップＳ１１の処理が終了すると、処理はステップＳ６に進む。
【００４１】
一方、表示画面制御部２５は、時系列表示ウィンドウ２５ａの表示内容の更新が指示されたか否かの判定を行う（ステップＳ１２）。即ち、表示画面制御部２５は、ブラウザの更新ボタンが選択入力されたか否か、あるいは、時系列表示ウィンドウ２５ａへのタッチが行われたか否か等の判定を行う。
時系列表示ウィンドウ２５ａの表示内容の更新が指示された場合、ステップＳ１２においてＹＥＳと判定されて、処理はステップＳ３に進む。
これに対し、時系列表示ウィンドウ２５ａの表示内容の更新が指示されていない場合、ステップＳ１２においてＮＯと判定されて、処理はステップＳ１３に進む。
【００４２】
即ち、表示画面制御部２５は、ユーザによってブラウザの終了が選択入力されたか否かの判定を行う（ステップＳ１３）。
ユーザによってブラウザの終了が選択入力されていない場合、ステップＳ１３においてＮＯと判定されて、処理はステップＳ６に進む。
これに対し、ユーザによってブラウザの終了が選択入力された場合、ステップＳ１３においてＹＥＳと判定されて、処理はステップＳ１に進む。
【００４３】
［情報収集サーバ３の動作］
図７は、情報収集サーバ３が実行する情報収集・統合処理の流れを示すフローチャートである。
情報収集・統合処理は、情報収集サーバ３の動作中に繰り返し実行される。
情報収集・統合処理が開始されると、情報取得要求受付部３１は、ユーザ端末２から閲覧情報取得要求を受信したか否かの判定を行う（ステップＳ２１）。
ユーザ端末２から閲覧情報取得要求を受信していない場合、処理はステップＳ２１に進む。
これに対し、ユーザ端末２から閲覧情報取得要求を受信した場合、処理はステップＳ２２に進む。
【００４４】
即ち、記事取得部３２は、閲覧情報取得要求に含まれている記事配信システム１００のＵＲＬ、投稿管理システム２００のＵＲＬ、ユーザＩＤ及びパスワードを抽出する（ステップＳ２２）。
次に、記事取得部３２は、記事配信システム１００及び投稿管理システム２００から情報を取得する（ステップＳ２３）。即ち、記事取得部３２は、記事配信システム１００のＵＲＬを基に、記事配信システム１００にアクセスし、配信されている一般記事を取得する。また、記事取得部３２は、投稿管理システム２００のＵＲＬを基に、投稿管理システム２００にアクセスし、ユーザＩＤ及びパスワードを用いて投稿管理システム２００にログインする。そして、記事取得部３２は、他のユーザと共有されている投稿記事を取得する。
【００４５】
次に、収集記事記憶部３３は、記事取得部３２によって取得された記事の集合を記憶する（ステップＳ２４）。このとき、収集記事記憶部３３は、記事配信システム１００から取得した一般記事及び投稿管理システム２００から取得した投稿記事を単純に集合させた情報群として記憶する。
続いて、記事統合部３４は、収集記事記憶部３３に記憶されている記事の集合を一般記事及び投稿記事の区別なく時系列順（ここではタイムスタンプ順とする）に並び替えて、統合記事集合を生成する（ステップＳ２５）。
そして、統合記事集合送信部３５は、記事統合部３４によって生成された統合記事集合を、閲覧情報取得要求を送信したユーザ端末２に送信する（ステップＳ２６）。
このようなステップＳ２６の処理が終了すると、処理はステップＳ２１に進む。
【００４６】
以上のように、本実施形態に係る情報表示システム１では、ユーザ端末２からの要求に応じて、情報収集サーバ３が、要求に応じて制限なしに一般記事を提供する記事配信システム１００及びユーザアカウントによる管理に従って投稿記事を提供する投稿管理システム２００から一般記事及び投稿記事を取得する。そして、情報収集サーバ３は、取得した一般記事及び投稿記事を統合記事集合として統合し、ユーザ端末２では、統合記事集合を時系列表示ウィンドウ２５ａにタイムライン表示する。
そのため、ユーザ端末２のユーザは、ユーザアカウントによって管理されているＳＮＳ等の記事と、アクセスの制限なしに（記事の要求元に関わらず）、広く公開されているニュース記事等の一般記事とを併せて時系列に一覧することができる。
【００４７】
これにより、ユーザは、情報源の種類、公開のレベル（アクセス制限の程度）、情報の管理アルゴリズム等が異なる多様な情報を参照することにより、それら多様な情報が生み出す補完関係を利用して、互いの情報を裏づけとして把握することができる。
したがって、ユーザにおいては、ネットワークを介して提供される情報の確度をより高めることが可能となる。
【００４８】
また、時系列表示ウィンドウ２５ａに表示されたタブが選択入力された場合、そのタブに対応する属性と合致する記事のみが選別されて一覧表示される。
そのため、ユーザは、特定の属性を有する記事のみに絞って一覧表示できるため、目的とする記事を効率的に把握し、情報の信頼性を確認することが可能となる。
また、時系列表示ウィンドウ２５ａに記事が一覧表示され、いずれかの記事が選択入力されると、その記事に対応する本文が詳細情報表示ウィンドウ２５ｃに表示される。
【００４９】
そのため、複数の記事の概要を時系列表示ウィンドウ２５ａによって効率的に把握しつつ、その詳細な内容を知りたい場合には、詳細情報表示ウィンドウ２５ｃに表示させることができるため、より効率的に記事の内容を把握することが可能となる。
また、詳細情報表示ウィンドウ２５ｃ内に表示される文字は、ユーザ端末２が縦型の表示画面として使用されている場合よりも、横型の表示画面として使用されている場合に、より大きいサイズで表示される。
即ち、表示画面を横型とする場合、ユーザが注目箇所を拡大して表示させる意図を有していると推定できることから、詳細情報表示ウィンドウ２５ｃ内の文字サイズを拡大することで、ユーザの意図に即した表示を行うことができる。
【００５０】
［応用例１］
上記実施形態におけるユーザ端末２において、ユーザが投稿管理システム２００に記事を投稿した場合、投稿管理システム２００の投稿記事サーバ２０１における投稿記事として蓄積される前に、ユーザ端末２において表示される統合記事集合に挿入することが可能である。
即ち、ユーザ端末２から投稿管理システム２００に記事を投稿すると、投稿した記事が投稿管理システム２００の投稿記事サーバ２０１に蓄積される。そして、第１実施形態における手順を経て、情報収集サーバ３を介して、投稿した記事が統合記事集合の一部としてユーザ端末２に送信される。その結果、ユーザ端末２では、統合記事集合に含まれる１つの記事として、投稿した記事が表示される。
【００５１】
このとき、ユーザ端末２から記事を投稿した後、その記事が統合記事集合の一部として情報収集サーバ３からユーザ端末２に送信されるまでの間、ユーザ端末２における投稿した記事の表示にタイムラグが発生する。
そこで、本応用例では、投稿管理システム２００への投稿と同期して、ユーザ端末２から投稿された記事を、表示画面制御部２５が、時系列表示ウィンドウ２５ａの時系列に応じた位置に仮表示記事として挿入する。そして、情報収集サーバ３から、統合記事集合の一部として、投稿した記事を受信した場合に、表示画面制御部２５が、仮表示記事として表示していた記事を削除し、統合記事集合について表示の一致性を確保する。
このような構成により、ユーザ端末２のユーザ自らが行った投稿の結果を速やかに時系列表示ウィンドウ２５ａに反映させることができるため、投稿管理システム２００における更新処理の遅延の影響を軽減することが可能となる。
【００５２】
［応用例２］
上記実施形態において、時系列表示ウィンドウ２５ａに表示された記事に設定されている属性と、ユーザ端末２のユーザによる記事の選択履歴と、その選択履歴に基づいて特定されるユーザ端末２のユーザの関心（趣味及び嗜好）を表すデータとを管理しておき、統合記事集合において、ユーザに閲覧を提案する情報を表示する処理（以下、「ハイライト処理」と称する。）を実行することが可能である。
【００５３】
即ち、表示画面制御部２５が、時系列表示ウィンドウ２５ａ内にハイライト処理を実行することを表すタブ（以下、「ハイライトタブ」と称する。）を表示し、ハイライトタブが選択入力された場合に、統合記事集合に含まれる記事のうち、ユーザの趣味及び嗜好を表すデータと属性が一致する記事（以下、「属性一致記事」と称する。）を選別して、時系列表示ウィンドウ２５ａに一覧表示することができる。ユーザの趣味及び嗜好を表すデータは、取得情報記憶部２３において、統合記事集合に含まれる記事の閲覧履歴を記憶しておき、過去に閲覧（選択）した統合記事集合に含まれる記事の属性を基に抽出して記憶しておくことができる。
このような構成により、ユーザ端末２のユーザは、統合記事集合の中で、見逃した関心のある情報を容易に把握することができ、取得した記事をより効率的に参照することが可能となる。
なお、この場合に、属性一致記事のうち、過去に閲覧した記事を除外して一覧表示させることにより、ユーザは、より効率的に、見逃した関心のある情報を把握することが可能となる。
【００５４】
以上、本発明の実施形態について説明したが、本発明は前述した実施形態に限るものではない。また、本発明の実施形態に記載された効果は、本発明から生じる最も好適な効果を列挙したに過ぎず、本発明による効果は、本発明の実施形態に記載されたものに限定されるものではない。
例えば、本実施形態では、情報収集サーバ３は、１つのサーバとして実現される場合を例に挙げて説明したが、情報収集サーバ３の機能を複数のサーバに分散して実装し、これらのサーバ全体が連携することによって情報収集サーバ３の機能を実現することも可能である。
また、本実施形態では、情報収集サーバ３において記事の集合を時系列順にソートして統合記事集合とし、統合記事集合をユーザ端末２に送信することとしたが、情報収集サーバ３においてソートを行うことなくユーザ端末２に記事の集合を送信し、ユーザ端末２において、時系列順にソートして統合記事集合とすることも可能である。
【００５５】
また、本実施形態では、上述の一般記事及び投稿記事を例に挙げて説明したが、本発明における記事として、時刻情報が含まれている種々の情報を対象とすることができる。そして、それらの記事のうち、記事の取得にユーザの権限に基づく制限が加えられていない記事を一般記事とし、記事の取得にユーザの権限に基づく制限が加えられている記事を投稿記事として取り扱うことで、本発明を実現することが可能となる。
また、本実施形態では、情報表示システム１におけるユーザ端末２及び情報収集サーバ３としてコンピュータを例にとって説明したが、本発明はコンピュータに限られるものではなく、コンピュータが各種機能を実行する方法、コンピュータに各種機能を実行させるためのプログラム及びこのプログラムを記憶した記憶媒体にも適用可能である。
【符号の説明】
【００５６】
１  情報表示システム
２  ユーザ端末
３  情報収集サーバ
２１  ユーザ入力受付部
２２  情報取得要求部
２３  取得情報記憶部
２４  画面方向判定部
２５  表示画面制御部
２５ａ  時系列表示ウィンドウ
２５ｂ  話題表示領域
２５ｃ  詳細情報表示ウィンドウ
３１  情報取得要求受付部
３２  記事取得部
３３  収集記事記憶部
３４  記事統合部
３５  統合記事集合送信部
１００  記事配信システム
１０１  一般記事サーバ
２００  投稿管理システム
２０１  投稿記事サーバ
【図１】
0005661588.tif 000002
【図２】
0005661588.tif 000003
【図３】
0005661588.tif 000004
【図４】
0005661588.tif 000005
【図５】
0005661588.tif 000006
【図６】
0005661588.tif 000007
【図７】
0005661588.tif 000008